(57)【特許請求の範囲】
【請求項１】
一対の対向して配置された端部および実質的にこれらの端部の間に伸びている対向して配置された側面により少なくとも一部が規定されている周辺部を有する吸収剤製品であって、その製品が
ａ）液体浸透性のカバー材料、
ｂ）周辺部近くでカバー材料と効力を生ずるように取り付けられている液体防止バリアー材料、
ｃ）カバー材料とバリアー材料との間に配置された吸収剤構造体、および
ｄ）各側面の縁が吸収剤構造体に隣接する基部から製品側面の一方近くの末端部に外側に伸びており、そして各側面の縁がベース部品を有しており、外部区域が周囲に隣接配置されておりそして内部区域が外部区域と吸収剤構造体との間に配置された一対の側面の縁、および
ｅ）少なくとも内部区域および外部区域の一部に広がるのに充分な幅、ある厚さ、および各側面の縁と効力を生ずるように取り付けられている長さを有しており、伸縮自在に伸ばせる部品の長さがその幅より実質的に大きく、その幅がその厚さより実質的に大きいような、伸縮自在に伸ばせる部品
を含んでなり、
ここで各々の伸縮自在に伸ばせる部品はカバー材料に積層されてカフラミネートを形成し、各カフラミネートが外部区域中の側面の縁のベース部品に取り付けられており、各カフラミネートが内部区域中のベース層に取り付けられておらず、カバーが吸収剤構造体に、少なくとも中心領域で、取り付けられており、そして伸縮自在に伸ばせる部品が弛緩状態にある時には各カフラミネートの少なくとも一部が内部区域近くの各側面の縁のベース部品からずらされるような、吸収剤製品。
【請求項２】
一対の対向して配置された端部および実質的にこれらの端部の間に伸びている対向して配置された側面により少なくとも一部が規定されている周辺部を有しそして身体に面する表面および衣類に面する表面を有する身体浸出液を吸収するために有用な細長い吸収剤製品であって、その製品が
ａ）液体浸透性のカバー材料、
ｂ）周辺部近くでカバー材料に取り付けられている液体不浸透性バリアー材料、
ｃ）カバー材料とバリアー材料との間に配置された吸収剤構造体であって、それが保持部品および保持部品とカバー材料との間に配置されそして保持部品に取り付けられている中間部品を含んでなるような吸収剤構造体、および
ｄ）各側面の縁が吸収剤構造体に隣接する基部から製品側面の一方近くの末端部に外側に伸びており、そして各側面の縁がベース部品を有しており、外部区域が周囲に隣接配置されておりそして内部区域が外部区域と吸収剤構造体との間に配置された一対の側面の縁、および
ｅ）少なくとも内部区域および外部区域の一部に広がるのに充分な幅、ある厚さ、および各側面の縁と効力を生ずるように取り付けられている長さを有しており、伸縮自在に伸ばせる部品の長さがその幅より実質的に大きく、その幅がその厚さより実質的に大きいような、伸縮自在に伸ばせる部品
を含んでなり、
ここで各々の伸縮自在に伸ばせる部品はカバー材料に積層されてカフラミネートを形成し、各カフラミネートが外部区域中の側面の縁のベース部品に取り付けられており、各カフラミネートが内部区域中のベース層に取り付けられておらず、カバーが中間層に、少なくとも中間層が保持部品と重なっている領域で、取り付けられており、そして伸縮自在に伸ばせる部品が弛緩状態にある時には各カフラミネートの少なくとも一部が内部区域近くの各側面の縁のベース部品からずらされるような、吸収剤製品。
【請求項３】
ａ）最初に伸縮自在に伸ばせる材料を伸ばしそしてそれを実質的に連続している長さのカバー材料に取り付けてカバー材料の第一の側面の縁近くの第一のカフラミネートを形成し、
ｂ）縦方向の端部および伸縮自在に伸ばせる材料近くの横方向の側面を有する別個の長さの吸収剤構造体を取り付けて、吸収剤構造体により実質的に覆われていない伸縮自在に伸ばせる材料を残し、
ｃ）実質的に連続する長さのバリアー材料を吸収剤構造体に、吸収剤構造体の縦方向の端部近くのカバー材料の一部に、そしてカバー材料の側面の縁近くのカフラミネートの一部に取り付けて、実質的にバリアー材料に取り付けられていない内部区域中のカフラミネートの一部をカフ材料の側面の縁と吸収剤構造体の側面の縁との間に残し、そして
ｄ）吸収剤製品を連続的な長さのカバー材料から分離する
段階を含んでなる吸収剤製品を製造する方法。
【発明の詳細な説明】
【０００１】
【発明の分野】
本発明は側面漏出を減ずるための側面カフを有する吸収剤製品、より特に外側に伸びる側面カフおよび上方に伸びる側面カフの両方を有する吸収剤製品、に関する。
【０００２】
【発明の背景】
開発業者は絶えず例えばおむつ、失禁ガード、および生理用ナプキンの如き吸収剤製品の流体汚れや快適さを改良することを試みている。彼らは側面漏出問題を例えば Mesek et al. の米国特許第４,３８８,０７５号、Mesek の米国特許第４,９３８,７５４号および Menard et al. のＥＰ ０ ５３４ ４８８に開示されているような柔軟でしばしば伸縮自在にされた外側に伸びているレッグカフの追加により処理してきた。
【０００３】
その後、製品開発業者は吸収剤製品中に吸収剤構造体の側面端部近くに上方に伸びる「バリアーカフ」を加えた。これらのバリアーカフの例は Enole の米国特許第４,６９５,２７８号、Lawson の米国特許第４,６９５,２７８号、Buell の米国特許第４,９００,３１７号、および LeMahieu et al. の米国特許第５,６２０,４３１号に見られる。これらのバリアーカフはしばしば別個の片として加えられ、それらを操作しそして吸収剤製品に取り付けなければならない。これらのカフは個別のまたは複数の弾性ストランドまたはリボンも含んでおり、そしてそれらが分離している間隔がおかれた領域に収縮力を与える。
【０００４】
要求されているものは、使用者にとって快適な外側に伸びる側面の縁および上方に伸びるバリアーカフの両方を有しており且つ連続的な商業的製造方法で容易に製作される新規な吸収剤製品である。
【０００５】
【発明の要旨】
外側に伸びる側面カフおよび上方に伸びる側面カフの両方を有する吸収剤製品が開示されている。この製品は一対の対向して配置された端部および実質的にこれらの端部の間に伸びている対向して配置された側面により少なくとも一部が規定されている周辺部を有する。この製品は液体浸透性カバー材料、周辺部近くに取り付けられた液体防止バリアー、およびカバー材料とバリアー材料との間に配置された吸収剤構造体を有する。一対の側面の縁が吸収剤構造体に隣接する基部から製品側面の一方近くの末端部分に伸びている。各々の外側の縁がベース部品、周辺部に隣接して配置された外部区域および外部区域と吸収剤構造体との間に配置された内部区域を有する。少なくとも内部区域および外部区域の一部に広がるのに充分な幅、ある厚さ、およびある長さを有する伸縮自在に伸ばせる部品が存在する。各部品は各側面の縁に取り付けられており、そして伸縮自在に伸ばせる部品の長さはその幅より実質的に長く、その幅はその厚さより実質的に長い。各々の伸縮自在に伸ばせる部品がカバー材料に積層されてカフラミネートを形成する。各々のカフラミネートが外部区域中の側面の縁のベース部品に取り付けられているが、各々は内部区域中のベース層には取り付けられていない。最後に、カバーは吸収剤構造体と、少なくとも製品の中心領域で、取り付けられている。これにより、伸縮自在に伸ばせる部品が弛緩状態にある時には各カフラミネートの少なくとも一部は内部区域近くの各側面の縁のベース部品からずらされる。本発明はそのような製品を製造する方法にも関する。
【０００６】
【好適態様の詳細な記述】
図１−３を参照すると、吸収剤製品１０は一対の対向して配置された端部１２およびこれらの端部１２の間に実質的に伸びている対向して配置された側面１４により少なくとも一部が規定された周辺部を有する。製品１０は身体に面する表面１６および衣類に面する表面１８を有する。製品１０は液体浸透性カバー２０および液体不浸透性バリアー２２を有する。カバー２０およびバリアー２２は製品１０の周辺部近くに取り付けられている。吸収剤構造体２４はカバー２０とバリアー２２との間に配置されている。
【０００７】
側面の縁２６は製品１０の各側面１４に沿って外側に伸びている。各側面の縁２６は吸収剤構造体２４に隣接する基部２８から末端部分３０に外側に伸びている。各側面の縁２６はベース部品３２、製品１０の周辺部に隣接して配置された外部区域３４および外部区域３４と吸収剤構造体２４との間に配置された内部区域３６を有する。
【０００８】
伸縮自在に伸ばせる部品３８は各側面の縁２６に効力を生ずるように取り付けられている。伸縮自在に伸ばせる部品３８は、少なくとも側面１４近くで、カバー２０を有するカフラミネート３９の中に形成されている。好ましくは、伸縮自在に伸ばせる部品３８の第一の表面４０がカバー２０に積層されてこのカフラミネート３９を形成する。カフラミネート３９は外部区域３４の中のベース部品３２に取り付けられているが、それは内部区域３６の中のベース部品３２には直接取り付けられていない。好ましくは、第一の表面４０に対向する第二の表面４２は外部区域３４の中のベース部品３２に取り付けられているカフラミネート３９の露呈部分を形成する。従って、カフラミネート３９の少なくとも一部は内部区域３６近くの各側面の縁２６のベース部品３２からずらされて上方に伸びるバリアーカフ４４を形成する。
【０００９】
カバー２０は液体浸透性部品であり、そしてそれは吸収剤構造体２４を含有しており、身体浸出液を吸収剤構造体２４の中に通し、吸収された身体浸出液を少なくとも部分的に遮断し、そして快適な身体に面する表面１６を与えるために有用である。カバー２０は、吸収剤製品１０と共に曲げるのに充分なほど柔軟性であり且つ吸収剤構造体２４の潜在的な可動性成分を実質的に含有しながら体液を内部通過可能にするいずれの構造体であってもよい。有用な構造体の代表的であるが限定用ではないリストは、織布、不織布、開口部のあるまたは孔のあいたフィルム、多孔性フォーム（孔のあいたフォームを含む）、焼結プラスチックなどを包含する。そのような構造体の製造において有用な材料の代表的であるが限定用ではないリストは、セルロース物質、例えば木綿、レーヨン、木材綿毛パルプなど；炭化水素合成品、例えばポリオレフィン類、ポリエステル類、ポリウレタン類、ポリアミド類、ポリテトラフルオロエチレン（「ＰＴＦＥ」）など；シリコーン類、例えばポリシロキサン類など；結合剤；湿潤剤、例えば界面活性剤；並びに吸収剤製品成分として有用な他の材料を包含する。これらの材料の１種もしくはそれ以上を積層構造体の中に含んでカバー２０を形成してもよい。
【００１０】
好ましくは、カバー２０は約６０ｇ／ｍ2（「ｇｓｍ」）より小さい基準重量を有する柔軟材料のシートから製造され、より好ましい基準重量は約１０〜約６０ｇｓｍであり、そして最も好ましい基準重量は約１５〜約３５ｇｓｍである。
【００１１】
バリアー２２は好ましくは液体不浸透性部品であり、そしてそれは吸収剤構造体２４を含有しており、身体浸出液が吸収剤構造体２４から出て使用者の衣類などに行くのを防止し、そして快適な衣類に面する表面１８を与えるために有用である。バリアー２２は、吸収剤製品１０と共に曲げるのに充分なほど柔軟性であり且つ吸収剤構造体２４の可能な可動性成分を実質的に含有しながら体液を内部通過可能にするいずれの構造体であってもよい。有用な構造体の代表的であるが限定用ではないリストは、布、例えば織布および不織布；開口部のある、孔のあいたまたは微小孔のあるフィルムを含むフィルム；フォーム、例えば多孔性または無孔性の閉鎖セルフォーム；焼結プラスチックなどを包含する。そのような構造体の製造において有用な材料の代表的であるが限定用ではないリストは、セルロース物質、例えば木綿、レーヨン、木材綿毛パルプ（紙およびコーテイングされたまたは他の方法で積層された紙を包含する）など；炭化水素合成品、例えばポリオレフィン類、ポリエステル類、ポリウレタン類、ポリアミド類、ＰＴＦＥなど；シリコーン類、例えばポリシロキサン類など；結合剤、防水剤、および他の材料処理剤；並びに吸収剤製品成分として有用な他の材料を包含する。これらの材料の１種もしくはそれ以上を積層構造体中に含んでバリアー２２を形成してもよい。
【００１２】
好ましくは、バリアー２２は約２ｍｍより薄い厚さを有する柔軟材料のシートから製造される。より好ましくは、バリアーは約０.１ｍｍより薄い、そして最も好ましくは約０.０１〜約０.０５ｍｍの間の、厚さを有するフィルムから製造される。
【００１３】
吸収剤構造体２４は浸出した体液を捕獲し且つ保持するために使用される。吸収剤構造体２４は単一の実質的に均一な構造体であってもよく、またはそれがより複雑な、積層されたまたは他の非対称的構造体であってもよい。好ましい態様では、吸収剤構造体２４は少なくとも１つの中間層４６および少なくとも１つの保持部品４８を含んでなる。１つもしくは複数の中間層４６は身体浸出液を捕獲し、分配させ、一時的に保持し、および／または遮蔽し且つ吸収剤構造体２４全体の安定化を助けるように配置されそして構成されており、一方で保持部品が一般的にはそのような身体浸出液を１つもしくは複数の中間層４６から吸収するであろう。図３に示されている特に好適な態様では、第一の中間層は保持部品４８とカバー２０との間に配置され、保持部品４８より広く、そして少なくとも側面の縁２６の内部区域３６の中に伸びている。また、これは保持部品４８を安定化するのを助ける。図４に示されている別の態様では、吸収剤構成２４′は単一層である。図５に示されているさらに別の態様では、中間層４６″は保持部品４８″とバリアー２２″との間に配置されている。この中間層４６″は灯心層または安定化部品として使用してもよい。
【００１４】
吸収剤構造体２４および／または個別層（１つもしくは複数の中間層４６および／または保持部品４８）は生理用ナプキン、失禁具、おむつ、または同様な製品として機能するのに充分な体液を充分吸収するいずれの構造体であってもよい。有用な構造体の代表的であるが限定用ではないリストは、織布および不織布（繊維質バット、薄い織物などを包含する）、開口部のあるまたは孔のあいたフィルム、多孔性フォーム、焼結プラスチックなどを包含する。そのような構造体は一般的な吸収剤材料および高吸収性材料、例えば超吸収剤フォーム、粒子、繊維、フィルム、シートなども包含する。そのような構造体の製造において有用な材料の代表的であるが限定用ではないリストは、セルロース物質、例えば木綿、レーヨン、木材綿毛パルプ、ミズゴケなど；炭化水素合成品、例えばポリオレフィン類、ポリエステル類、ポリウレタン類、ポリアミド類、ＰＴＦＥなど；超吸収剤材料、例えば加水分解された架橋結合されたポリアクリレート類、ポリアクリロニトリル類、アクリル類、グラフト重合体など；臭気−抑制剤、例えば香料、ゼオライト類、金属イオン封鎖剤など、並びに吸収剤製品成分として有用な他の材料を包含する。
【００１５】
伸縮自在に伸ばせる部品３８の長さはその幅より実質的に大きく、そしてその幅は延長可能な部品３８の厚さより実質的に大きい。伸縮自在に伸ばせる部品３８は製品１０に対して盛り上がったカフおよび縦方向のカーブを付与するための弾性であるいずれの伸縮自在に伸ばせる構造体であってよい。有用な構造体の代表的であるが限定用ではないリストは、シート、フィルム、フォーム、リボン、織ウェブまたは不織ウェブなどを包含する。そのような構造体の製造において有用な材料の代表的であるが限定用ではないリストは、炭化水素合成品、例えばポリオレフィン類、ポリエステル類、ポリウレタン類、ポリアミド類、ＰＴＦＥ、ブロック共重合体（例えばスチレン−ブタジエン−スチレンおよびスチレン−イソプレン−スチレン共重合体）、エチレン−酢酸ビニル共重合体、合成ゴムなど；シリコーン類、例えばポリシロキサン類など；天然ゴム；並びに吸収剤製品成分として有用な他の材料を包含する。
【００１６】
伸縮自在に伸ばせる部品３８の性質は吸収剤製品１０を製作するために使用される残りの材料の性質と均衡がとられる。これにより伸縮自在に伸ばせる部品３８は製品１０を縦方向に曲げそしてバリアーカフ４４を製品の側面端部１４に沿って形成することが可能になる。好ましくは、伸縮自在に伸ばせる部品３８は２００ｐｓｉより小さい、より好ましくは約１０〜１００ｐｓｉの、そして最も好ましくは約２５〜約５０ｐｓｉの、引っ張り強さを有する弾性材料のシートから製造される。さらに、弾性材料が少なくとも約１００％の、より好ましくは約２００％〜約３５０％の、そして最も好ましくは約２５０％〜約３００％の、破壊時の伸びを有することが好ましい。これらの材料はＡＳＴＭ Ｄ−３５７４−９５に従い試験することができる。材料の回復率が少なくとも約６０％、より好ましくは少なくとも約８０％、そして最も好ましくは少なくとも約９０％であることも好ましい。
【００１７】
我々はこの理論に拘束されることを望まないが、弾性材料のシートまたは同様な幾何学的形状が本発明を実施可能にする独特な性質を有するということは信じられる。まず、緊張下での伸びで、材料の厚さおよび幅の両者が減少する。材料の一部が次に緊張条件下で固定されそして緊張がその後に解放される時には、材料がその厚さおよびその幅の両者の少なくとも一部を回復しようとするであろうことが信じられる。それ故、材料が反りそしてベース部品３２から分離して起立するバリアーカフ４４を形成する。これを最適にするために、伸縮自在に伸ばせる部品３８、内部区域３６および外部区域３４の幅が均衡されており、起立するバリアーカフ４４を与える。内部区域３６にとって不充分な幅であるなら、たとえあったとしてもバリアーカフ４４は非常にわずかであろう。逆に、外部区域３４内の幅が不充分であるなら、側面カフは実質的に排除されるであろう。
【００１８】
前記の如く、伸縮自在に伸ばせる部品３８の第一の表面４０およびカバー２０を含んでなるカフラミネート３９が製造される。伸縮自在に伸ばせる部品３８は好ましくはこのカフラミネート３９中に伸びた状態で組み込まれる。カフラミネート３９は側面の縁２６の外部区域３４中のベース部品３２に取り付けられているが、それは内部区域３６中のベース部品３２には直接取り付けられていない。それ故、伸縮自在に伸ばせる部品３８は弛緩状態に戻るにつれて、カフラミネートはベース部品３２から外部区域３４の内部に向かって分離して上部に伸びるバリアーカフ４４を形成することができる。
【００１９】
ベース部品３２用に使用される材料は上記のカバー２０および／またはバリアー２２用に使用される材料と同様であってよい。ベース部品３２自身は別個に取り付けられている部品であってもよいが、図３に示されているようにベース部品３２がバリアー２２の連続部であることが好ましい。この態様では、側面の縁２６が吸収剤製品１０の残りの構成材料から製造されていることがわかり、そして外側に伸びる側面の縁２６および上部に伸びるバリアーカフ４４の両者を形成するために製品に追加の構造体を操作したり取り付けたりする必要はない。
【００２０】
もちろん、ベース部品３２″′が別個の部品から形成される場合には、図６に示されているようにこの別個の部品は吸収剤製品１０の残りに取り付けられていることができる。この態様では、カバー２０″′および伸縮自在に伸ばせる部品３８″′の両者は製品１０″′の側面端部１４″′にのみ伸びる。取り付けは接着剤、超音波、縫製、または当業者に既知である他の取り付け機構であってよい。
【００２１】
内部区域３６中のカフラミネート３９およびベース部品３２の分離は数種の方法により達成できる。２つの部品が接着剤で取り付けられる場合には、（１）内部区域３６中の部品間の接着剤材料の適用を防止することにより、（２）内部区域３６中に存在する接着剤材料を非粘着化することにより、（３）そのような接着剤を遮蔽することにより、または（４）当業者に認識されている他の方法により、分離はなされる。部品が熱および／または圧力により取り付けられる場合には、（１）内部区域を結合に必要なものより低い温度および／または圧力に保つことにより、（２）部品の取り付け中に内部区域３６中の部品間の分離を保つことにより、または（３）当業者に認識されている他の方法により、分離はなされる。他の取り付け方法および関連する分離方法も当業者は認識するであろう。
【００２２】
吸収剤製品１０は手により製造してもよく、またはそれを例えば図７に略述されており且つ以下に記載されているような方法に従い製造してもよい。まず、カバー材料１００が供給ロールから巻きほどかれる。第一の積層接着剤材料１０２がカバー材料１００の表面に適用され、そして伸縮自在に伸ばせる材料１０４が延伸されそしてカバー材料１００に取り付けられる。これが、カバー材料１００の１つもしくはそれ以上の領域でカフラミネートを形成する。好ましくは、伸縮自在に伸ばせる材料１０４はカバー材料に接着される前に少なくとも約１０％延伸される。より好ましくは、それは約１０％〜約４０％延伸され、そして最も好ましくは、それは約１５％〜約３０％延伸される。
【００２３】
中間層１０６を次にカバー材料１００に、伸縮自在に伸ばせる材料１０４を重ねるような方法で、接着することができる。その後のカフラミネートおよびベース部品の積層を防止できるものがこの重複である。中間層１０６がカバー材料１００に接着した後に、第二の接着剤材料１０８を構造体に適用することができる。この第二の接着剤材料１０８は中間層１０６の少なくとも一部を被覆することができる。保持部品１１０を次に構造体の上に置きそして中間層１０６に接着させることができる。
【００２４】
最後に、バリアー材料１１２が構造体に適用される。バリアー材料１１２は好ましくはカバー材料１００より狭く、それによりカフラミネートの末端がバリアー材料１１２の側面端部１１４の周りに包囲されることが可能になりそして例えば折り畳み台１１８におけるバリアー材料１１２の露呈表面上に固定されることが可能になる。バリアー材料１１２はその上部に構造体接着剤１１６を配置してもよい。個別の吸収剤製品１２０は吸収剤構造体１１０の縦方向の端部近くにある生成した構造体から、例えば往復カッター１２２または回転カッター（示されていない）を用いて、形成してもよい。リリーズライナーにより保護されている取り付け接着剤を次にバリアー材料１１２の残っている露呈領域の一部に適用してもよい。生成した製品を次に使用するまで包装および貯蔵することができる。
【００２５】
中間層を保持部品１１０とバリアー材料１１２との間に配置する別の態様では、この方法がわずかに変更される。保持部品１１０は第二の接着剤材料１０８の上に伸縮自在に伸ばせる（弾性物とわずかに重複してもよい）材料１０４の間に置かれる。積層接着剤１１６を再びバリアー材料１１２に適用してもよい。保持部品より広い中間層がバリアーに適用されるであろう。積層接着剤の別の層をこの中間層の中央に適用して保持部品の良好な結合を確実にすることができる。この構造体が次にカバー／弾性／保持層に取り付けられる。保持部品より広い中間層の部分は接着剤を不活性化し、それにより盛り上がった領域４４を作成する。
【００２６】
中間層が除かれる第二の別の製造方法では、この方法はわずかに変更される。特に、保持部品１１０は第二の接着剤材料１０８の上に伸縮自在に伸ばせる（弾性物とわずかに重複してもよい）材料１０４の間に置かれる。しかしながら、この第二の接着剤材料１０８は保持部品１１０の両側に接着剤が適用されていない２つの領域があるような方法で適用される。この方法は上記のようにバリアー材料１１２を保持部品１１０およびカバー／弾性構造体に適用しながら進行する。ここでも、バリアー材料１１２はカバーの未コーテイング部分に対応する領域中には接着剤があってはならない。カバー材料１００およびバリアー材料１１２のこれらの未コーテイング部分が内部区域中のこれらの部品の取り付けを防止してバリアーカフ４４を作成する。
【００２７】
使用時には、製品がその包装から取り出され、そして取り付け接着剤が露呈された後に例えば使用者の下着の股部分に取り付けられる。そのように取り付けられていない時には、伸縮自在に伸ばせる部品３８は弛緩して製品の縦軸に沿ってカーブを付与しそしてカフラミネート３９をベース部品３２から離して上方に伸びるバリアーカフ４４を形成して製品１０の縦方向の側面１４の周りの身体浸出液の漏出を防止することができる。
【００２８】
上記の明細書および実施例はここで開示されている本発明の完全な且つ非限定的な理解を助けるために示されている。本発明の多くの変更および態様を本発明の精神および範囲から逸脱しない限り行えるため、本発明は添付されている請求項に権利がある。
【００２９】
本発明の主なる特徴および態様は以下のとおりである。
【００３０】
１．一対の対向して配置された端部および実質的にこれらの端部の間に伸びている対向して配置された側面により少なくとも一部が規定されている周辺部を有する吸収剤製品であって、その製品が
ａ）液体浸透性のカバー材料、
ｂ）周辺部近くでカバー材料と効力を生ずるように取り付けられている液体防止バリアー材料、
ｃ）カバー材料とバリアー材料との間に配置された吸収剤構造体、および
ｄ）各側面の縁が吸収剤構造体に隣接する基部から製品側面の一方近くの末端部に外側に伸びており、そして各側面の縁がベース部品を有しており、外部区域が周囲に隣接配置されておりそして内部区域が外部区域と吸収剤構造体との間に配置された一対の側面の縁、および
ｅ）少なくとも内部区域および外部区域の一部に広がるのに充分な幅、ある厚さ、および各側面の縁と効力を生ずるように取り付けられている長さを有しており、伸縮自在に伸ばせる部品の長さがその幅より実質的に大きく、その幅がその厚さより実質的に大きいような、伸縮自在に伸ばせる部品
を含んでなり、
ここで各々の伸縮自在に伸ばせる部品はカバー材料に積層されてカフラミネートを形成し、各カフラミネートが外部区域中の側面の縁のベース部品に取り付けられており、各カフラミネートが内部区域中のベース層に取り付けられておらず、カバーが吸収剤構造体に、少なくとも中心領域で、取り付けられており、そして伸縮自在に伸ばせる部品が弛緩状態にある時には各カフラミネートの少なくとも一部が内部区域近くの各側面の縁のベース部品からずらされるような、吸収剤製品。
【００３１】
２．各々の伸縮自在に伸ばせる部品が弾性フォームを含んでなる、請求の範囲第１項記載の吸収剤製品。
【００３２】
３．弾性フォームがリボンである、請求の範囲第２項記載の吸収剤製品。
【００３３】
４．弾性フォームがシートである、請求の範囲第２項記載の吸収剤製品。
【００３４】
５．伸縮自在に伸ばせる部品の幅が内部区域および外部区域に広がるのに十分なものである、請求の範囲第１項記載の吸収剤製品。
【００３５】
６．カフラミネートが製品の衣類に面する表面に対応するベース部品の衣類に面する側面に取り付けられる、請求の範囲第１項記載の吸収剤製品。
【００３６】
７．一対の対向して配置された端部および実質的にこれらの端部の間に伸びている対向して配置された側面により少なくとも一部が規定されている周辺部を有しそして身体に面する表面および衣類に面する表面を有する身体浸出液を吸収するために有用な細長い吸収剤製品であって、その製品が
ａ）液体浸透性のカバー材料、
ｂ）周辺部近くでカバー材料に効力を生ずるように取り付けられている液体不浸透性バリアー材料、
ｃ）カバー材料とバリアー材料との間に配置された吸収剤構造体であって、それが保持部品および保持部品とカバー材料との間に配置されそして保持部品に取り付けられている中間部品を含んでなるような吸収剤構造体、および
ｄ）各々の側面の縁が吸収剤構造体に隣接する基部から製品側面の一方近くの末端部に外側に伸びており、そして各側面の縁がベース部品を有しており、外部区域が周囲に隣接配置されておりそして内部区域が外部区域と吸収剤構造体との間に配置された一対の側面の縁、および
ｅ）少なくとも内部区域および外部区域の一部に広がるのに充分な幅、ある厚さ、および各側面の縁と効力を生ずるように取り付けられている長さを有しており、伸縮自在に伸ばせる部品の長さがその幅より実質的に大きく、その幅がその厚さより実質的に大きいような、伸縮自在に伸ばせる部品
を含んでなり、
ここで各々の伸縮自在に伸ばせる部品はカバー材料に積層されてカフラミネートを形成し、各カフラミネートが外部区域中の側面の縁のベース部品に取り付けられており、各カフラミネートが内部区域中のベース層に取り付けられておらず、カバーが中間層に、少なくとも中間層が保持部品と重なっている領域で、取り付けられており、そして伸縮自在に伸ばせる部品が弛緩状態にある時には各カフラミネートの少なくとも一部が内部区域近くの各側面の縁のベース部品からずらされるような、吸収剤製品。
【００３７】
８．カフラミネートが製品の衣類に面する表面に対応するベース部品の衣類に面する側面に取り付けられる、請求の範囲第７項記載の吸収剤製品。
【００３８】
９．中間層が保持部品より広く、そして保持部品を越えて伸びる中間層の部分がバリアー材料に取り付けられている、請求の範囲第７項記載の吸収剤製品。
【００３９】
１０．伸縮自在に伸ばせる部品が中間層に実質的に取り付けられていない、請求の範囲第７項記載の吸収剤製品。
【００４０】
１１．ａ）最初に伸縮自在に伸ばせる材料を伸ばしそしてそれを実質的に連続している長さのカバー材料に取り付けてカバー材料の第一の側面の縁近くの第一のカフラミネートを形成し、
ｂ）縦方向の端部および伸縮自在に伸ばせる材料近くの横方向の側面を有する別個の長さの吸収剤構造体を取り付けて、吸収剤構造体により実質的に覆われていない伸縮自在に伸ばせる材料を残し、
ｃ）実質的に連続する長さのバリアー材料を吸収剤構造体に、吸収剤構造体の縦方向の端部近くのカバー材料の一部に、そしてカバー材料の側面の縁近くのカフラミネートの一部に取り付けて、実質的にバリアー材料に取り付けられていない内部区域中のカフラミネートの一部をカフ材料の側面の縁と吸収剤構造体の側面の縁との間に残し、そして
ｄ）吸収剤製品を連続的な長さのカバー材料から分離する
段階を含んでなる吸収剤製品を製造する方法。
【００４１】
１２．さらに第二の伸縮自在に伸ばせる材料を伸ばしそしてそれを実質的に連続的な長さのカバー材料に取り付けて第二のカフラミネートをカバー材料の第一と対向する第二の側面の縁近くに形成することも含んでなる、請求の範囲第１１項記載の方法。
【００４２】
１３．さらに中間層をカバー材料に第一および第二の伸縮自在に伸ばせる材料の間で取り付ける段階も含んでなる、請求の範囲第１２項記載の方法。
【００４３】
１４．さらに中間層をバリアー材料に取り付ける段階も含んでなる、請求の範囲第１１項記載の方法。
【００４４】
１５．さらに接着剤材料をカバー材料、第一および第二の伸縮自在に伸ばせる材料、並びにバリアー材料に少なくとも１つの様式で適用して、内部区域中のカバー材料、少なくとも１種の伸縮自在に伸ばせる材料およびバリアー材料の全ての取り付けを回避する段階も含んでなる、請求の範囲第１１項記載の方法。
【図面の簡単な説明】
【図１】本発明に従う吸収剤製品の透視図を示す。
【図２】図１の吸収剤製品の側面立面図を示す。
【図３】図１の線３−３に沿った断面図を示す。
【図４】３種の態様の図３の断面の部分図を示す。
【図５】３種の態様の図３の断面の部分図を示す。
【図６】３種の態様の図３の断面の部分図を示す。
【図７】本発明に従う吸収剤製品を製造する方法の概略図を示す。
【図１】
0004478245.tif 000002
【図２】
0004478245.tif 000003
【図３】
0004478245.tif 000004
【図４】
0004478245.tif 000005
【図５】
0004478245.tif 000006
【図６】
0004478245.tif 000007
【図７】
0004478245.tif 000008